(57)【特許請求の範囲】
【請求項１】
基礎と土台の間に介在される基礎パッキンと、該基礎パッキンと土台との間に嵌挿されるスペーサーとからなるスペーサーの基礎パッキンへの取り付け構造において、前記基礎パッキンの上面には、前記スペーサーの嵌挿方向に向けて次第に先細りのガイド溝と、該ガイド溝の先端に連通する蟻溝状の係止凹部とが設けられ、しかも、前記スペーサーには、前記係止凹部に蟻溝嵌合する係合部が突設されていることを特徴とするスペーサーの基礎パッキンへの取り付け構造。
【請求項２】
基礎パッキンと土台との間に嵌挿されるスペーサー本体を備えたスペーサーであって、前記スペーサー本体には、基礎パッキンの上面に形成された蟻溝状の係止凹部に蟻溝嵌合する係合部が突設されていることを特徴とするスペーサー。
【請求項３】
前記スペーサー本体は合成樹脂製であることを特徴とする請求項２に記載のスペーサー。
【請求項４】
基礎と土台との間に介設され、土台との隙間に請求項２又は３に記載のスペーサーのスペーサー本体が嵌挿される弾性材料製の基礎パッキンであって、上面には、スペーサー本体の嵌挿方向に向けて先細りのガイド溝と、該ガイド溝の先端部に連設され且つスペーサー本体の係合部が蟻溝嵌合される係止凹部とが形成されていることを特徴とする基礎パッキン。
【発明の詳細な説明】
【０００１】
【発明の属する技術分野】
本発明は、建築物の基礎および土台間に基礎パッキンが介設された状態で、当該基礎パッキンと土台との間の隙間を埋めるのに最適なスペーサーの基礎パッキンへの取り付け構造並びにスペーサーおよび基礎パッキンに関するものである。
【０００２】
【従来の技術】
従来、特許第３１１３８３１号公報に記載されたような基礎パッキン用のスペーサーが知られている。この基礎パッキン用のスペーサーは、図５に示す如く、建築物の基礎１００および土台１０１間に基礎パッキン１０３が介設された状態で当該基礎パッキン１０３と土台１０１との間の隙間を埋めるために用いられるものである。かかるスペーサー１０５は、平板状のスペーサー本体１０６と、このスペーサー本体１０６の一縁部から下方に向けて突設された突片１０７と、前記スペーサー本体１０６の下面側の適所に切り起しで形成された爪片１０８とを備えたものである。
【０００３】
前記爪片１０８は、スペーサー本体１０６に下方に向けて所定の角度で切り起されることによって形成され、その先端縁部が突片１０７に向くように方向設定されている。かかる爪片１０８は、傾斜姿勢とスペーサー本体１０６と面一になる面一姿勢との間で弾性変形により姿勢変化し得るようになっている。
【０００４】
一方、基礎パッキン１０３の上面には、当該基礎パッキン１０３が基礎１００に載置された状態で基礎１００の長手方向に向けて延びる細溝１１０が凹設されている。この細溝１１０は、スペーサー本体１０６が基礎パッキン１０３に載置され、且つ突片１０７が基礎パッキン１０３の側面に当接した状態で、前記爪片１０８の先端縁部が嵌り込み得る位置に設けられている。
【０００５】
【発明が解決しようとする課題】
前記スペーサー１０５は、基礎１００の上に所定ピッチで複数の基礎パッキン１０３を配置し、さらに各基礎パッキン１０３上に土台１０１を載置した状態で、いずれかの基礎パッキン１０３上面と土台１０１下面との間に隙間が存在する場合に、この隙間に嵌挿されるものであり、これによる隙間の埋まりで土台１０１を複数の基礎パッキン１０３に均等に支持させた状態にすることができる。
【０００６】
そして、スペーサー本体１０６を、その突片１０７が基礎パッキン１０３の側面に当接するまで前記隙間に押し込むと、平に弾性変形していた爪片１０８が基礎パッキン１０３の細溝１１０位置に到達することにより元の傾斜姿勢に復元し、爪片１０８の先端部が細溝１１０に係止することになる。そして、この係止によってスペーサーは抜け止め状態になる。
【０００７】
しかしながら、上記のような従来のスペーサー１０５にあっては、爪片１０８が細溝１１０の任意の位置で係止可能であることから、スペーサー１０５を基礎パッキン１０３と土台１０１との隙間に嵌挿するに際し、左右方向（スペーサーの嵌挿方向に直交する方向）に適正に位置決めすることが困難であり、その結果、スペーサー１０５が隙間に挿入された状態で、正規の位置から左右にずれてしまうことがある。
【０００８】
そして、スペーサー１０５が正規の位置からずれた状態で基礎パッキン１０３と土台１０１との間に差し込まれてしまうと、スペーサー１０５を介して基礎パッキン１０３が土台１０１を支持する面積が小さくなってしまい、これによって土台１０１は基礎パッキン１０３による設計通りの支持効果を得ることができなくなり、引いては土台１０１の上に構築される建築物の構造的な強度にも悪影響を与えかねないことにもなるという問題点が生じる。
【０００９】
本発明は、上記のような問題点を解消するためになされたものであり、スペーサーを確実な位置決め状態で基礎パッキンと土台との間に嵌挿することが可能なスペーサーの基礎パッキンへの取り付け構造並びにスペーサーおよび基礎パッキンを提供することを課題としている。
【００１０】
【課題を解決するための手段】
本発明は、上記課題を解決するためになされたものであり、スペーサーの基礎パッキンへの取り付け構造としての特徴は、基礎と土台の間に介在される基礎パッキンと、該基礎パッキンと土台との間に嵌挿されるスペーサーとからなるスペーサーの基礎パッキンへの取り付け構造において、前記基礎パッキンの上面には、前記スペーサーの嵌挿方向に向けて次第に先細りのガイド溝と、該ガイド溝の先端に連通する蟻溝状の係止凹部とが設けられ、しかも、前記スペーサーには、前記係止凹部に蟻溝嵌合する係合部が突設されていることにある。
【００１１】
この発明によれば、スペーサーを基礎パッキンと土台との間に形成された隙間に差し込むことによって、当該スペーサーに突設された係合部が先細りで手前側が広がったガイド溝の溝壁に誘導されて、スペーサーの嵌挿方向と直交する方向の偏りが修正され、係合部が基礎パッキンの弾性変形により、蟻溝状の係止凹部に嵌合することにより、スペーサーは、最終的に所定の位置に位置決めされた状態で基礎パッキンと土台との隙間に嵌挿される。
【００１２】
そして、スペーサーが前記隙間に嵌挿された状態では、スペーサーの係合部が、基礎パッキンの入口開口の絞られた蟻溝状の係止凹部に嵌り込んだ状態になっているため、たとえ地震などによって基礎が振動しても、スペーサー本体の隙間からの抜け落ちが有効に防止される。
【００１３】
スペーサーとしての特徴は、基礎パッキンと土台との間に嵌挿されるスペーサー本体を備えたスペーサーであって、前記スペーサー本体には、基礎パッキンの上面に形成された蟻溝状の係止凹部に蟻溝嵌合する係合部が突設されていることにある。
【００１４】
前記スペーサー本体が合成樹脂製であるのが好ましい。かかる場合には、スペーサー本体が合成樹脂製であるため、合成樹脂原料の成形処理によってスペーサー本体を各種の任意の形状に設定することが可能であり、特に係合部についてもスペーサー本体の成形処理地に同時に形成させることができる。
【００１５】
基礎パッキンとしての特徴は、基礎と土台との間に介設され、土台との隙間に請求項２又は３に記載のスペーサーのスペーサー本体が嵌挿される弾性材料製の基礎パッキンであって、その上面には、スペーサー本体の嵌挿方向に向けて先細りのガイド溝と、該ガイド溝の先端部に連設され且つスペーサー本体の係合部が蟻溝嵌合される係止凹部とが形成されていることにある。
【００１６】
【発明の実施の形態】
図１〜図４は、本発明の一実施の形態を示し、図１は、スペーサーおよび基礎パッキンからなる隙間形成部材を示す斜視図であり、図２は、図１に示すスペーサーが基礎パッキンと土台との間に介装された状態を示す斜視図である。これらの図に示すように、隙間形成部材１０は、建築物のコンクリート基礎Ｃ（図２）と、このコンクリート基礎Ｃに支持される土台Ｂとの間に介装されて両者間に通気用の間隙を形成させるものであり、コンクリート基礎Ｃの上面に配設される弾性材料製の基礎パッキン２０と、この基礎パッキン２０の上面に配されて当該基礎パッキン２０と土台Ｂとの隙間を埋める一対のスペーサー３０とを備えて構成されている。
【００１７】
前記スペーサー３０は、コンクリート基礎Ｃ上に配された複数の基礎パッキン２０上に土台Ｂが載置された状態で、コンクリート基礎Ｃ上面の高さレベルのばらつきに起因して基礎パッキン２０および土台Ｂ間に隙間が生じたときに、当該隙間を埋めるために使用されるものであり、したがって、全ての基礎パッキン２０に配されるわけではない。
【００１８】
前記基礎パッキン２０は、本実施形態においてはプラスチック製のものが採用され、平面視でコンクリート基礎Ｃの長手方向（スペーサー３０の嵌挿方向に直交する方向）に長尺の矩形状を呈した直方体状に形成されている。また、本実施形態においては、基礎パッキン２０は、通常の木造建築の基礎に合わせて幅寸法（スペーサー３０の嵌挿方向）が１００ｍｍに設定され、長さ寸法が２００ｍｍに設定されているとともに、厚み寸法が２０ｍｍに設定されているが、本発明は、かかる寸法設定に限定されるものではなく、コンクリート基礎Ｃや土台Ｂの規模に応じて適宜寸法設定することができる。
【００１９】
かかる基礎パッキン２０には、一対のボルト遊嵌孔２１が穿設されている。このボルト遊嵌孔２１は、コンクリート基礎Ｃから立設されたアンカーボルト４０（図２）に遊嵌するためのものであり、平面視でТ字形状を呈し、これによってアンカーボルト４０の立設位置のばらつきに容易に対応し得るようになっている。
【００２０】
そして、ボルト遊嵌孔２１を貫通したアンカーボルト４０は、さらに土台Ｂに貫通され、当該土台Ｂから上方に突出した部分にワッシャ４２を介してナット４１が螺着・締結されることにより、土台Ｂが基礎パッキン２０およびスペーサー３０を介してコンクリート基礎Ｃに固定されるようになされている。
【００２１】
また、基礎パッキン２０には、長手方向の両端部の適所に装着孔２２がそれぞれ穿設され、この装着孔２２を通してコンクリート釘５０がコンクリート基礎Ｃに打ち込まれることにより、一旦コンクリート基礎Ｃ上に位置決め状態で載置された基礎パッキン２０の位置ずれが生じないようにしている。
【００２２】
また、基礎パッキン２０は、その上面に凹設された幅方向（スペーサー３０の嵌挿方向）に延びる複数条の換気溝２３を有している。この換気溝２３は、空気の流通によって基礎パッキン２０に対する土台Ｂの当接面近傍を乾燥状態にするためのものであり、本実施形態においては４条の換気溝２３が設けられているが、４条であることに限定されるものではなく、３条以下でもよいし５条以上であってもよい。
【００２３】
そして、基礎パッキン２０の上面であって換気溝２３が設けられていない部分に台地部２４が形成され、各台地部２４の上面が直接またはスペーサー３０を介して土台Ｂの下面に当接されることになる。
【００２４】
このような基礎パッキン２０において、中央の台地部２４上面の各縁部には、それぞれ一対のガイド溝２５が凹設されているとともに、各ガイド溝２５の奥部に蟻溝状の係止凹部２６がそれぞれ凹設されている。ガイド溝２５は、スペーサー３０の後述する係合部３３を受け入れて係止凹部２６へ向けて案内するものであり、係止凹部２６は、導入された係合部３３を係止してその嵌り込み状態を維持するためのものである。
【００２５】
前記スペーサー３０は、コンクリート基礎Ｃ（図２）上の基礎パッキン２０の上面と土台Ｂとの間に隙間が存在する場合に当該隙間に介装されるものであり、本実施形態においては合成樹脂製のものが採用されている。かかるスペーサー３０は、所定厚み寸法に設定された（本実施形態においては略１．０ｍｍに設定されている。）スペーサー本体３１と、このスペーサー本体３１の長尺側の縁部から下方に向けて直角に折り曲げられた状態の折曲げ縁部３２と、前記スペーサー本体３１の長手方向の中央部下面に前記各係止凹部２６に対応して突設された一対の係合部３３とを備えて構成されている。
【００２６】
前記スペーサー本体３１は、長手方向の寸法が基礎パッキン２０の長手寸法と略同一に設定されている一方、幅寸法が基礎パッキン２０の幅寸法より若干短めに設定されている。また、前記折曲げ縁部３２は、上下寸法が基礎パッキン２０の上下寸法より若干短めに寸法設定され、これによってスペーサー本体３１を基礎パッキン２０と土台Ｂとの隙間に差し込んでいくことにより、折曲げ縁部３２は、その下縁部が基礎パッキン２０から下方にはみ出すことなく当該基礎パッキン２０の側面に当止するようになっている（図２参照）。
【００２７】
かかるスペーサー本体３１は、折曲げ縁部３２と反対側の縁部から当該折曲げ縁部３２に向けて切り込まれて形成された一対の切込み部３１ａが設けられていると共に、これら切込み部３１ａの両側に当該切込み部３１ａの底部から突出した突出部３１ｂが形成されている。本実施形態においては、突出部３１ｂの中央のものが基礎パッキン２０の中央の台地部２４に対応するとともに、両端の突出部３１ｂはそれぞれ基礎パッキン２０の両端の台地部２４に対応するように
設定されている。
【００２８】
前記のような切込み部３１ａを設けることにより、土台Ｂと基礎パッキン２０との接触面積を可能な限り少なくし、これによってスペーサー３０を介して基礎パッキン２０に支持された土台Ｂの底面の通気性を大きくすることができる。
【００２９】
図３は、ガイド溝２５および係止凹部２６、ならびに係合部３３を詳細に説明するための基礎パッキン２０ならびにスペーサー３０を示すの部分拡大斜視図である。この図に示すように、ガイド溝２５は、基礎パッキン２０の上面で且つ縁部に所定の溝深さ（本実施形態においては略１ｍｍ）で先細りに形成されている。
【００３０】
かかるガイド溝２５は、平面視で頂部の欠けた正三角形状に形状設定された溝底２５ａと、この溝底２５ａの両側部に形成された溝幅方向一対の案内溝壁２５ｂとから構成されている。ガイド溝２５の溝奥には、係止凹部２６に通じる括れ通路２５ｃが形成されている。
【００３１】
前記係止凹部２６は、ガイド溝２５を介して導入されたスペーサー本体３１の係合部３３を抜け止め状態で保持するためのものであり、基礎パッキン２０の括れ通路２５ｃよりさらに奥部に蟻溝状で形成されている。かかる係止凹部２６は、直径寸法が括れ通路２５ｃの溝幅寸法より大き目で、且つガイド溝２５の入り口側の溝幅寸法より小さくなるように寸法設定されている。
【００３２】
前記係合部３３は、スペーサー本体３１の裏面側で係止凹部２６に対応するように円形に設けられ、径寸法が係止凹部２６の径寸法と同等か、あるいは僅かに小さく寸法設定されているとともに、厚み寸法がガイド溝２５の溝深さ寸法より僅かに薄く寸法設定されている。かかる係合部３３は、その中心位置と折曲げ縁部３２の内面位置との間の距離が、係止凹部２６の中心位置と基礎パッキン２０の縁部との間の距離と略同一になるように設定されている。
【００３３】
したがって、係合部３３は、係止凹部２６に嵌め込まれることにより、折曲げ縁部３２の内面側が基礎パッキン２０の正面縁部に当接するとともに、括れ通路２５ｃの存在で水平方向の任意の移動が規制され、これによってスペーサー３０は基礎パッキン２０から外れ止めされるようになされている。
【００３４】
以下、本発明の基礎パッキン２０およびスペーサー３０の作用について説明する。図４は、本発明にかかる基礎パッキン２０およびスペーサー３０の作用を説明するための平面視の部分拡大説明図であり、（イ）は、係合部３３がガイド溝２５に入り込む直前の状態、（ロ）は、係合部３３がガイド溝２５と係止凹部２６との境界位置の括れ通路２５ｃに位置した状態、（ハ）は、係合部３３が係止凹部２６に嵌り込んだ状態をそれぞれ示している。
【００３５】
まず、図４の（イ）に示す状態では、スペーサー本体３１が基礎パッキン２０の上面と土台Ｂの底面との間に形成された隙間に差し込まれることにより、スペーサー３０の係合部３３が基礎パッキン２０のガイド溝２５に近付きつつある。この状態でスペーサー３０をさらに前記隙間の奥にまで差し込んでいくと、各係合部３３は、たとえ芯ずれしていても、図４の（イ）に二点鎖線で示すように、入口側が幅広に設定された各ガイド溝２５にそれぞれ入り込み、案内溝壁２５ｂに案内されて芯ずれが修正されつつ括れ通路２５ｃに向かうことになる。
【００３６】
各係合部３３が括れ通路２５ｃに到達した後に、さらにスペーサー３０を前記隙間に押し込むと、図４の（ロ）に示すように、括れ通路２５ｃは、その左右外方部分が弾性変形して拡幅し、これによって各係合部３３は、各括れ通路２５ｃを通過し、図４の（ハ）に示すように、対応した係止凹部２６にそれぞれ嵌り込んだ状態になる。そして、この状態では係合部３３が係止凹部２６に嵌り込んでいることにより、図２に示すように、スペーサー３０は、基礎パッキン２０に対する装着位置が位置決めされた状態になっている。
【００３７】
また、一旦係合部３３が蟻溝状の係止凹部２６に嵌り込むと、その入口側が狭小の括れ通路２５ｃとなっているため、括れ通路２５ｃの左右（スペーサー３０の嵌挿方向と直交方向）外方向の弾性材料を弾性変形させ得るだけの引抜き力がスペーサー３０に加えられない限り、スペーサー３０が基礎パッキン２０から不用意に外れたり、左右方向にずれたりすることはなく、これによってスペーサー３０の基礎パッキン２０および土台Ｂ間の隙間への介装状態を安定したものにすることができる。
【００３８】
上記実施形態に係るスペーサー３０は、以上詳述したように、基礎パッキン２０と土台Ｂとの間に嵌挿することにより、両者間の隙間を埋める用に供されるものであり、スペーサー本体３１には、基礎パッキン２０の縁部に形成されたガイド溝２５に対応した位置に突設された一対の係合部３３が設けられているため、スペーサー本体３１を基礎パッキン２０と土台Ｂとの間に形成された隙間に差し込むことにより、スペーサー本体３１に突設された係合部３３が先細りで手前側が広がったガイド溝２５に捕捉される。そして、スペーサー本体３１を隙間に押し込んでいくことにより、係合部３３が先細りのガイド溝２５の案内溝壁２５ｂに誘導されて幅方向に移動し、これによってスペーサー３０の偏りが修正され、最終的にスペーサー３０は、係合部３３が係止凹部２６に嵌り込んだ蟻溝嵌合状態で基礎パッキン２０と土台Ｂとの隙間に嵌挿される。
【００３９】
したがって、従来のように、スペーサー３０が基礎パッキン２０と土台Ｂとの間で偏った位置に嵌挿されてしまい、これによって土台Ｂがスペーサー３０を介して適正に基礎パッキン２０に支持されなくなるような不都合を確実に防止することができる。
【００４０】
本発明は、上記の実施形態に限定されるものではなく、以下の内容をも包含するものである。
上記の実施形態においては、スペーサー３０は合成樹脂製のものが採用されているが、本発明は、スペーサー３０が合成樹脂製であることに限定されるものではなく金属製であってもよい。そして、スペーサー３０が金属製である場合には、係合部３３は原料となる金属板のプレス処理工程で押し起しにより形成されたり、専用の部材が溶接されたることによって形成される。
【００４１】
上記の実施形態においては、係止凹部２６および係合部３３はそれぞれ円形に形状設定されているが、本発明は係止凹部２６および係合部３３が円形であることに限定されるものではなく、三角形や四角径や矢印形状など互いに係止し得る各種の形状に設定することができる。
【００４２】
上記の実施形態においては、ガイド溝２５が基礎パッキン２０の中央部に設けられているが、ガイド溝２５を基礎パッキン２０の中央位置に設けることに限定されるものではなく、基礎パッキン２０の各側部側に設けてもよい。また、ガイド溝２５および係合部３３は、それぞれ互いに一対で設けることに限定されるものではなく、各１つずつでもよいし、３つ以上ずつ設けてもよい。
【００４３】
上記の実施形態においては、基礎パッキン２０はプラスチック製のものが採用されているが、プラスチック製のものに代えてゴム製のものを採用してもよい。
【００４４】
【発明の効果】
以上の説明からも明らかなように、本発明は、基礎パッキンの上面には、前記スペーサーの嵌挿方向に向けて次第に先細りのガイド溝と、該ガイド溝の先端に連通する蟻溝状の係止凹部とが設けられ、しかも、前記スペーサーには、前記係止凹部に蟻溝嵌合する係合部が突設されているので、スペーサー本体を基礎パッキンと土台との間に形成された隙間に差し込むことによって、当該スペーサーに突設された係合部を、先細りで手前側が広がったガイド溝に容易に捕捉させることができる。そして、スペーサーを前記隙間に押し込んでいくことにより、前記係合部がガイド溝の溝壁に誘導されて、ガイド溝の最も細くなっている部分に納まることによって位置ずれが修正され、これによって最終的にスペーサーを位置決めされた状態で基礎パッキンと土台との隙間に介装することができる。
【００４５】
したがって、従来のように、スペーサーが基礎パッキンと土台との間で偏った位置に嵌挿されてしまい、これによって土台がスペーサーを介して適正に基礎パッキンに支持されなくなるような不都合を確実に防止することができる。
【図面の簡単な説明】
【図１】本発明に係る基礎パッキンと基礎パッキン用のスペーサーとを備えてなる隙間形成部材の一実施形態を示す斜視図である。
【図２】図１に示すスペーサーが基礎パッキンと土台との間に介装された状態を示す斜視図である。
【図３】ガイド溝および係止凹部、ならびに係合部を詳細に説明するための基礎パッキンならびにスペーサーを示すの部分拡大斜視図である。
【図４】本発明にかかる基礎パッキンおよびスペーサーの作用を説明するための平面視の部分拡大説明図であり、（イ）は、係合部がガイド溝に入り込む直前の状態、（ロ）は、係合部がガイド溝と係止凹部との境界位置の括れ通路に位置した状態、（ハ）は、係合部が係止凹部に嵌り込んだ状態をそれぞれ示している。
【図５】従来例を示す斜視図である。
【符号の説明】
２０…基礎パッキン、２５…ガイド溝、２６…係止凹部、３０…スペーサー、３１…スペーサー本体、３３…係合部、Ｂ…土台、Ｃ…コンクリート基礎（基礎）
【図１】
0003696841.tif 000002
【図２】
0003696841.tif 000003
【図３】
0003696841.tif 000004
【図４】
0003696841.tif 000005
【図５】
0003696841.tif 000006